(57)【要約】【課題】光ディスクにユーザデーを記録する方法及び装置において、記録位置に応じて、常に最適のパワーで記録を行なうことを可能にする。【解決手段】ユーザデータの記録領域の直前に、記録パワー調整用の領域（ＬＡ）を設け、前記調整用の領域を用いて最適記録パワーを求めて（Ｓ６）、このようにして求められた最適記録パワーでユーザデータを記録領域に記録する（Ｓ９）。一旦記録パワーの調整を行なってから、径方向記録位置が所定値以上変わったときに（Ｓ３）、再び記録パワーの調整行なう（Ｓ６）。記録パワー調整用の領域を確保する際、リンキング領域（ＬＡ）と同じものとして扱い、記録パワー調整用の領域に、リンキング領域と同じデータを書きこむ。【選択図】        図５
2004342245.tif 000002
【特許請求の範囲】
【請求項１】
光ディスクにユーザデータを記録する方法において、
該ユーザデータの記録領域の直前に、記録パワー調整用の領域を形成し、
前記記録パワー調整用の領域を用いて最適記録パワーを求め、
このようにして求められた最適記録パワーで前記ユーザデータを前記記録領域に記録する
ことを特徴とする光ディスクの記録方法。
【請求項２】
前記記録パワー調整用の領域が、アドレスの割り付け可能な最小単位である一つのセクタで構成されることを特徴とする請求項１に記載の光ディスクの記録方法。
【請求項３】
前記記録パワー調整用の領域が、信号処理が完結する一つのブロックで構成されることを特徴とする請求項１に記載の光ディスクの記録方法。
【請求項４】
一旦記録パワーの調整を行なってから、径方向記録位置が所定値以上変わった位置において新たなユーザデータの記録を行なうおうとするときに、前記新たなユーザデータの記録領域の直前に、記録パワー調整用の領域を形成して、この記録パワー調整用の領域を用いて最適記録パワーを求め、
このようにして求められた最適記録パワーで前記新たなユーザデータを前記記録領域に記録する
ことを特徴とする請求項１に記載の光ディスクの記録方法。
【請求項５】
前記記録パワー調整用の領域を確保する際、リンキング領域として扱うことを特徴とする請求項１に記載の光ディスクの記録方法。
【請求項６】
前記記録パワー調整用の領域に、リンキング領域と同じデータを書きこむことを特徴とする請求項１に記載の光ディスクの記録方法。
【請求項７】
前記記録パワー調整用の領域に、既知のビットパターンのデータを強度変調することにより得られる信号を記録することを特徴とする請求項１に記載の光ディスクの記録方法。
【請求項８】
新たなユーザデータの記録を行なおうとする際、そのユーザデータがその前に記録されたユーザデータと連続したものかどうかの判定を行ない、連続したものでなければ、前記新たなユーザデータの記録領域の直前に、記録パワー調整用の領域を形成して、この記録パワー調整用の領域を用いて最適記録パワーを求め、
このようにして求められた最適記録パワーで前記新たなユーザデータを前記記録領域に記録する
ことを特徴とする請求項１に記載の光ディスクの記録方法。
【請求項９】
一旦記録パワーの調整を行なってから、径方向記録位置が所定値以上変わっていない位置において新たなユーザデータの記録を行なうおうとするときに、そのユーザデータがその前に記録されたユーザデータと連続したものかどうかの判定を行ない、連続したものでなければ、ホストがリンキング発生と認識しているかどうかの判定を行ない、ホストがリンキング発生と認識しているときは、前記新たなユーザデータの記録領域の直前に、リンキング領域を形成し、前記新たユーザデータを前記記録領域に記録する
ことを特徴とする請求項１に記載の光ディスクの記録方法。
【請求項１０】
光ディスクにユーザデータを記録する装置において、
記録されるべきユーザデータに応じた記録信号を生成する手段と、
記録パワー調整用の信号を生成する手段と、
前記記録パワー調整用の信号を、前記ユーザデータの記録領域の直前に記録させる制御手段とを備え、
前記制御手段は、前記調整用の領域からの再生信号を検出してその結果に基づいて最適記録パワーを求め、前記最適記録パワーで前記ユーザデータを前記記録領域に記録させる
ことを特徴とする光ディスクの記録装置。
【請求項１１】
記録パワーの調整を行ったときに、そのときの径方向記録位置を記憶する手段をさらに備え、
前記制御手段は、新たなユーザデータの記録を行なおうとするとき、前記メモリに記憶されている、前回記録パワーの調整を行なった位置から、径方向記録位置が所定値以上変わったかどうかの判断を行ない、
所定値以上変わったと判断したときは、前記ユーザデータの記録領域の直前に、記録パワー調整用の領域を形成して、この領域を用いて最適記録パワーを求め、このようにして得られた最適記録パワーで前記新たなユーザデータを前記記録領域に記録する
ことを特徴とする請求項１０に記載の光ディスクの記録装置。
【請求項１２】
前記制御手段は、前記記録パワー調整用の領域を確保する際、リンキング領域として扱うことを特徴とする請求項１０に記載の光ディスクの記録装置。
【請求項１３】
前記制御手段は、前記記録パワー調整用の領域に、リンキング領域と同じデータを書き込ませることを特徴とする請求項１０に記載の光ディスクの記録装置。
【請求項１４】
前記記録パワー調整用の信号を生成する手段が、
既知のビットパターンのデータを生成する手段と、
この既知のビットパターンのデータを強度変調して前記記録パワー調整用の信号を生成する手段と
を有することを特徴とする請求項１０に記載の光ディスクの記録装置。
【発明の詳細な説明】
【０００１】
【発明の属する技術分野】
本発明は、ＤＶＤ（Ｄｉｇｉｔａｌ  Ｖｅｒｓａｔｉｌｅ  Ｄｉｓｋ）装置等の光ディスクに情報の記録を行う方法及び装置に関する。
【０００２】
【従来の技術】
従来の光ディスク装置は、予め決められた領域ＰＣＡ（Ｐｏｗｅｒ  Ｃａｌｉｂｒａｔｉｏｎ  Ａｒｅａ）にて測定されたエラー率により、最適記録パワーを得る構成となっている（例えば、特許文献１参照）。また、記録の繋ぎ目には、リンキングを発生させることが知られている（例えば、非特許文献１参照）。
【０００３】
【特許文献１】
特開平９−１９８６６１号公報（第６頁、図１０）
【非特許文献１】
ＳＦＦ  Ｃｏｍｍｉｔｔｅｅ、「Ｉｎｆｏｒｍａｔｉｏｎ  Ｓｐｅｃｉｆｉｃａｔｉｏｎ  ｆｏｒ  ＡＴＡＰＩ  ＤＶＤ  Ｄｅｖｉｃｅｓ」Ｒｅｖ．５．４  Ｏｃｔｏｂｅｒ  ２３，２００１（Ｐａｇｅ  １２２）
【０００４】
【発明が解決しようとする課題】
上記のような従来の光ディスク装置では、予め決められた領域ＰＣＡでのみ最適記録パワーを得ているため、ＣＡＶ（Ｃｏｎｓｔａｎｔ  Ａｎｇｕｌａｒ  Ｖｅｌｏｃｉｔｙ）モード時に記録位置（ディスクの径方向位置）に応じた記録パワーの制御が行えないという問題点があった。
【０００５】
この発明は、上述のような課題を解消するためになされたもので、記録位置に応じて最適記録パワーを得ることができる記録方法及び装置を提供することを目的とする。
【０００６】
【課題を解決するための手段】
この発明は、
光ディスクにユーザデータを記録する方法において、
該ユーザデータの記録領域の直前に、記録パワー調整用の領域を形成し、
前記記録パワー調整用の領域を用いて最適記録パワーを求め、
このようにして求められた最適記録パワーで前記ユーザデータを前記記録領域に記録する
ことを特徴とする光ディスクの記録方法を提供する。
【０００７】
【発明の実施の形態】
実施の形態１．
以下に説明する実施の形態では、ディスクがＣＡＶモードのものであり、記録される径方向位置の変化とともに線速が変化する。本実施の形態では、以下に詳しく述べるように、記録される径方向位置が所定値以上変化したときには、再度記録パワーの調整を行なうこととし、これにより、径方向記録位置の変化に拘わらず、常に最適の記録パワーで記録を行なうようにしたものである。
【０００８】
図１はこの発明の実施の形態１の光ディスク装置を示すものである。図中、ホスト・インターフェース（Ｉ／Ｆ）・コントローラ１は、ホスト２とのインターフェース制御を司り、記録再生のコマンド解釈を行い、データの送受信を行う。例えば、ホスト・インターフェース・コントローラ１は、ＡＴＡＰＩ（ＡＴ  Ａｔｔａｃｈｍｅｎｔ  Ｐａｃｋｅｔ  Ｉｎｔｅｒｆａｃｅ）コントローラやＳＣＳＩ（Ｓｍａｌｌ  Ｃｏｍｐｕｔｅｒ  Ｓｙｓｔｅｍ  Ｉｎｔｅｒｆａｃｅ）コントローラと呼ばれるものであっても良い。
【０００９】
バッファメモリ３は、記録再生用データを一時保存するものであり、バッファメモリ・コントローラ４は、バッファメモリ３の蓄積データ量管理を行うとともに、ホスト・インターフェース・コントローラ１並びに以下に説明する記録信号生成部５及び再生信号処理部６とのデータ転送制御を行う。
【００１０】
記録信号生成部５は、バッファメモリ・コントローラ４から転送された、記録されるべきユーザデータに対し光ディスク１１のフォーマットに対応した誤り訂正符号の生成及び付加を行い、さらに誤り訂正符号の付加されたデータを変調方式にしたがって変調し、ディジタル形式からアナログ形式に変換してレーザ駆動回路９へ供給する。
【００１１】
調整用パターン生成部７は、システムコントローラ８に制御されて、記録パワー調整用のビットパターンを生成して、レーザ駆動回路９へ供給する。記録パワー用のビットパターンは、例えば、既知の固定パターン、例えば全零のパターンである。本実施の形態では、リンキング領域ＬＡのデータ領域に記録されるのと同じビットパターンが用いられる。但し、記録パワーがステップ状に変更される。即ち、強度変調される。
【００１２】
レーザ駆動回路９は、記録信号生成部５や調整用パターン生成部７からの記録データや調整用パターンを、サーボ回路１７で位置決めされた光ヘッド１０へ転送し、光ヘッド１０内のレーザダイオードを駆動する。
【００１３】
一方、光ヘッド１０を介して再生された光ディスク１１からの再生信号はプリアンプ回路１２で増幅され、２値化回路１３で２値化されてディジタル信号となり、２値化回路１３の出力は、再生信号処理部６、データ領域開始位置検出部１５及び調整用領域検出部１６に供給される。
【００１４】
プリアンプ回路１２はまた、サーボ回路１７に、光ヘッド１０のトラッキングエラー信号やフォーカシングエラー信号を供給する。
【００１５】
アシンメトリ検出回路１４は、プリアンプ回路１２で増幅された光ディスク１１からの再生信号の最短マークと最長マークの振幅中央ずれ量を検出する。ここで、振幅中央ずれ量Ｃｄは、図２に示すように、最短マークの部分から得られる信号Ｓａの中央値Ｃａと最長マークの部分から得られる信号Ｓｂの中央値Ｃｂとの差である。
【００１６】
システムコントローラ８は、アシンメトリ検出回路１４における検出結果に基づいて、振幅中央ずれ量が当該ディスクに対して予め定められた値になるように記録パワーを調整する。
【００１７】
再生信号処理部６は、２値化回路１３の出力を復調して誤り訂正を行い、バッファメモリ・コントローラ４へ転送する。
データ領域開始位置検出部１５は、２値化回路１３の出力に基づいて、データ領域の開始位置を検出し、検出結果をシステムコントローラ８に知らせる。
調整用領域検出部１６は、２値化回路１３の出力に基づいて、調整用領域を検出し、検出結果をシステムコントローラ８に知らせる。
【００１８】
システムコントローラ８は、上記のようなパワー調整のみならず、一連の記録再生シーケンス動作を制御するものであり、そのため、ホスト・インターフェース・コントローラ１、バッファメモリ・コントローラ４、記録信号生成部５、調整用パターン生成部７、再生信号処理部６、データ領域開始位置検出部１５、調整用領域検出部１６、２値化回路１３、アシンメトリ検出回路１４、サーボ回路１７、プリアンプ回路１２、レーザ駆動回路９、光ヘッド１０と接続され、これらとの間で制御信号などの授受を行なう。
【００１９】
本発明の特徴の一つは、システムコントローラ８が、特定の領域にパワー調整のための領域を確保して、その領域を用いてパワー調整を行なうことにある。本実施の形態では、システムコントローラ８は、記録される径方向位置が所定値以上変化したときには、再度記録パワーの調整を行なわせる。そして、そのために、記録パワーの調整を行なうたびに、そのときの径方向位置をメモリ８ａに記憶させ、次に情報の記録を開始するときに、メモリ８ａの記憶内容を参照して、径方向位置が所定値以上変化したかどうかの判断を行なう。
【００２０】
本発明では、以下に詳細に説明するように、リンキング領域に相当する領域をパワー調整のために利用する。
リンキング領域は、一つのデータと別のデータの繋ぎ目に形成されるものであり、例えば、図３に示すように、一つのデータＡを記録した後、別のデータＢを記録する場合に、その間にリンキング領域ＬＡが挿入される。リンキング領域ＬＡのサイズは、例えば１セクタ（２ｋバイト）或いは１ＥＣＣブロック（３２ｋバイト）とするのが一般的である。
【００２１】
各セクタは複数個の、例えば２６個のシンクフレームで構成され、図４に示すように、リンキング領域ＬＡを構成するセクタ２１の先頭に配置されたＩＤ領域２２内には、リンキング領域であることを示す識別コードＳＹＸが記録され、リンキング領域ＬＡを構成するセクタ内のシンクフレームの各々のデータ領域には、所定のビットパターン、例えば全零が記録されている。
【００２２】
リンキング領域ＬＡを形成するためには、ドライブ側のシステムコントローラ）４で、リンキングＬＡの発生をホスト２に知らせ、ホスト２はこれに応じてリンキング発生として処理を行ない、記録コマンドをドライブへ発行する。
【００２３】
本実施の形態では、このようなリンキング領域に相当する領域、即ちリンキング領域と同様にして、特にホスト２においてはリンキング領域と同様の扱いにより、記録パワーの調整用の領域を生成する。具体的には、記録パワー調整用の領域を構成するセクタ２１は、その先頭に配置されるＩＤ領域２２に、リンキング領域ＬＡと同じ識別コードＳＹＸを有し、データ領域にリンキング領域ＬＡと同じ値のビットパターンのデータを有する。但し記録パワー調整用の領域内の、データ領域のデータは、記録パワーがステップ状の変更（強度変調）されたものである。
【００２４】
各記録パワー調整用の領域は、リンキング領域と同じく、アドレスの割り付け可能な最小単位である一つのセクタ、又は信号処理が完結する一つのブロック（ＥＣＣブロック）で構成されている。
【００２５】
図５は、システムコントローラ８の制御の下で行われる光ディスクの記録方法を示す。なお、記録時の動作シーケンスが開始される前に、例えば、電源オン時の起動シーケンスにおいて、ホスト２と光ディスクの記録再生装置間では、記録時の繋ぎ目に発生するリンキングのサイズを示す情報（例えば、記録型ＤＶＤではアドレスの割付け可能な最小単位のセクタの２ｋバイトであることを示す情報、信号処理単位の１ＥＣＣ（Ｅｒｒｏｒ  Ｃｏｒｒｅｃｔｉｏｎ）ブロックの３２ｋバイトであることを示す情報）や、記録中にバッファメモリ３内のデータが空となった際にエラー報告を行うかどうかのモードを示す情報が授受されているものとする。
【００２６】
最初にホスト２より記録コマンドが発行され、記録コマンドが受信される（Ｓ１）。受信された記録コマンドのパラメータより、記録開始位置と転送長が指定される。
【００２７】
これに対して、連続記録であるかどうかの判断を行う（Ｓ２）。この判断は、例えば、前回受信した記録コマンドとの論理ブロックアドレスの連続性に基づいて行われる。
ステップＳ２で、連続記録と判断された場合には、次に、記録パワー調整要か否かの判断を行う（Ｓ３）。
この判断は、前回記録パワーの調整を行なったときの記録位置（後述のステップＳ７において、システムコントローラ８内のメモリ８ａに記録されている）と、今回の記録を行なおうとする位置の、ディスクの径方向の隔たりに基づいて行なわれる。即ち、該隔たりが所定値以上であれば、記録パワー調整要と判断する。
【００２８】
本実施の形態では、ディスクがＣＡＶタイプのものであり、記録される径方向位置の変化とともに線速が変化し、これとともに最適記録パワーも変化する。そこで、径方向記録位置が所定値以上変化したときには、再度記録パワーの調整を行なうこととしている。
また、ディスクがドライブにローディングされた後、一度も記録パワーの調整が行なわれていなければ、記録パワー調整要と判断する。
【００２９】
ステップＳ２で、連続記録でないと判断された場合には、記録パワー調整のためのステップＳ６に進む。
【００３０】
ステップＳ３で、記録パワー調整要と判断された場合には、ホスト２に対して記録の繋ぎ目が発生したとしてエラーの報告を行って（Ｓ４）、ホスト２に対して再度の記録コマンドの発行を促し、記録コマンドを受信する（Ｓ５）。
そして、その後ステップＳ６に進む。
【００３１】
ステップＳ６は、パワー調整、即ち、最適パワー取得を行うためのものであり、記録パワー調整領域として、上記のように、記録時の動作シーケンスが開始される前に、例えば、電源オン時の起動シーケンスにおいて、ホスト２から知らされたリンキングのサイズに相当する領域が割り当てられる。
【００３２】
ステップＳ６の処理の詳細は図６に示すとおりである。まず、割り当てられた領域に、調整用のデータ記録を行う（Ｓ６１）。記録に当たっては記録パワーを複数のステップに振り分けて行う。即ち、記録パワーをステップ状に変更しながら、記録を行う。記録データは、調整用パターン生成部７で生成されるものであり、既知のデータ、例えば固定パターン、例えば、全零とする。また、割り当てられたセクタ２１の先頭に位置するＩＤ領域２２には、記録パワー調整用の領域であることを示すデータ、たとえば図４の識別コードＳＹＸを併せて記録する。このように、記録データを全零とするとともに、ユーザデータ記録領域以外の領域にリンキングを示す識別コードを記録することで、ホスト２にリンキング領域として認識させることが可能である。
また記録パワーの変更は、システムコントローラ８からレーザ駆動回路９に変更のための指示を与えることにより行なわれる。
【００３３】
次に記録パワー調整用領域に記録されたデータの再生を行い（Ｓ６２）、アシンメトリ検出回路１４によりアシンメトリ測定を行って、最適パワーを決定する（Ｓ６３）。即ち、アシンメトリ検出回路１４で、プリアンプ回路１２で増幅された光ディスク１１からの再生信号の最短マーク長と最長マーク長の振幅中央ずれ量を検出し、システムコントローラ８で、このずれ量が当該ディスクに対して予め定められた値になるように記録パワーが調整される。
ステップＳ６２の、記録パワー調整用領域に記録されたデータの再生を行う際、記録パワー調整用領域であることを示すデータ、すなわち識別コードＳＹＸを調整用領域検出部１６で読みって、それに続くデータ領域ＤＰ内のデータを読み取る。
【００３４】
このようにして記録パワーの調整を行なったら、そのときの径方向位置をメモリ８ａに記憶させる（Ｓ７）。
【００３５】
次に、上記のようにして決定された最適パワーを用いて、ホスト２で指定された記録開始位置より、ユーザデータの記録を転送長分行う（Ｓ９）。記録開始位置は、データ領域開始位置検出部１５によって検出される。
【００３６】
ステップＳ３にて記録パワー調整の必要がないと判断された場合は、ホスト２からのユーザデータを前記録コマンドによる記録の終了位置と隣接した位置より、連続的に記録を開始する。
【００３７】
なお、ホスト２からのユーザデータがバッファメモリ３に転送された時点で、コマンドを完了したものとして処理することにより、ホスト２間との応答速度が良好となる。
【００３８】
上述のように、本実施の形態では光ディスクの回転モードとしてＣＡＶモードである場合には、記録位置に応じて、記録パワーの調整が可能となり、信頼性が向上する。
また、記録パワー調整用領域を、既にホストとの間で処理の仕方が定まっている、リンキング領域と同様にして形成するため、ホストとの間で処理の仕方を別途規定する必要がなく、また、書替え可能型光ディスクおよび追記型光ディスクの両方に適用可能である。
【００３９】
実施の形態２．
次に、実施の形態２の光ディスクの記録方法を説明する。この実施の形態の記録方法は、図１に示すのと同じ装置を用いて行われる。図７は、本実施の形態の記録方法を示す。図７で図１と同じ符号は同一ないし相当するステップを示す。図７に示す方法が図５に示す方法と異なるのは、ステップＳ１０、Ｓ１１、Ｓ１２が加わっていることである。
【００４０】
本実施の形態では、ステップＳ２で、連続記録でないと判断された場合には、次にステップＳ１０に進む。ステップＳ１０では、ホスト２がリンキング発生と認識しているかどうかの判定を行う。この判定は、ステップＳ１で受信された、ホスト２からの記録コマンドのパラメータに基づいて行なわれる。即ち、ホスト２がリンキング発生と認識した場合には、ホスト２からの記録コマンドの中のユーザデータの記録開始位置が、前コマンドの記録終了位置に、リンキングサイズを加えた位置に指定されているので、このことから、ホストがリンキング発生と認識したかどうかの判断ができる。
【００４１】
ステップＳ１０で、リンキング発生と認識されていると判断した場合には、次にステップＳ１１に進む。ステップＳ１１では、記録パワー調整が必要かどうかの判断を行う。この判断はステップＳ３と同様にして行なわれる。
【００４２】
ステップＳ１１で、記録パワー調整不要と判断された場合には、リンキング領域に本来のリンキングデータ（例えば全零）を記録し（Ｓ１２）、次に、ステップＳ９に進む。
【００４３】
ステップＳ１０でリンキング発生と認識されていない場合、及びステップＳ１１で、記録パワー調整要と判断された場合には、ステップＳ６に進む
【００４４】
このようにステップＳ１０、Ｓ１１、Ｓ１２を加えた理由は以下のとおりである。即ち、ステップＳ２にて連続記録でないと判断された場合には、ホスト２がリンキング発生と認識した場合が含まれる（Ｓ１０）。
この場合には、一般には記録パワーの調整は必要でなく、記録パワー調整が必要である場合を除き、リンキングデータを記録し、それに続けてユーザデータを記録すれば良い。そこで、この場合には、ステップＳ１２で、記録パワー調整のためのパワーの変更を行なうことなく、所定のビットパターン、例えば全零を記録し（Ｓ１２）、次に、ステップＳ９に進む。
【００４５】
本実施の形態では、実施の形態１の効果に加え、ホスト２がリンキング発生と認識しているかどうかの判断を加えることにより、記録パワー調整が必要でない、リンキング発生のための記録時（パワー調整が必要な場合を除く）には、余分な記録パワー調整ステップが発生しないため、ホスト２間の応答速度が向上する。
【００４６】
以上の説明では、ＣＡＶモードであるとして説明したが、本発明はＣＬＶモードにも適用できる。即ち、ＣＬＶモードにあっても、ユーザデータの開始位置で記録パワーの調整を行なえば、管理領域内のＰＣＡ領域への光ヘッドのアクセスなしでパワー調整が可能であるため、ホスト２への応答速度が向上すると言う効果がある。
【００４７】
なお、記録パワー調整用の領域を、アドレスの割付け可能な最小単位であるセクタ構成することにより、冗長度を最小にすることができる。
【００４８】
また、記録パワー調整用の領域を、信号処理が完結するブロック単位（ＥＣＣブロック）で構成することにより、ユーザデータの信頼性を高めることができる。
【００４９】
さらに、記録パワー調整用の領域に記録するパターンとして、既知のデータを強度変調することにより得られるパターンを用いることにより、ハードウェアの量を少なくすることができる。
【００５０】
【発明の効果】
この発明によれば、記録パワー調整用領域がユーザデータの記録領域の直前に設けられるで、ＣＡＶモード時に記録位置に応じたパワー調整を行え、記録データの信頼性が向上するという効果がある。また、ＣＬＶモードにあっても、管理領域内のＰＣＡ領域への光ヘッドのアクセスなしでパワー調整が可能であるため、ホスト２への応答速度が向上するという効果がある。
【図面の簡単な説明】
【図１】本発明の実施の形態１および実施の形態２の光ディスクの記録装置を示すブロック図である。
【図２】本発明の実施の形態１および実施の形態２で検出される振幅中央ずれ量を示す波形図である。
【図３】本発明の実施の形態１および実施の形態２で用いられる光ディスクのリンキング領域を示す図である。
【図４】図３のリンキング領域を構成するセクタの構成を示す図である。
【図５】本発明の実施の形態１に関する光ディスクの記録方法を示すフローチャートである。
【図６】図５のステップＳ６の詳細を示すフローチャートである。
【図７】本発明の実施の形態２に関する光ディスクの記録方法を示すフローチャートである。
【符号の説明】
１  ホスト・インターフェース・コントローラ、  ２  ホスト、  ３  バッファメモリ、  ４  バッファメモリ・コントローラ、  ５  記録信号生成部、  ６再生信号処理部、  ７  調整用パターン生成部、  ８  システムコントローラ、  ９  レーザ駆動回路、  １０  光ヘッド、  １１  光ディスク、  １２  プリアンプ回路、  １３  ２値化回路、  １４  アシンメトリ検出回路、１５  データ領域開始位置検出部、  １６  調整用領域検出部、  １７  サーボ回路。
【図１】
2004342245.tif 000003
【図２】
2004342245.tif 000004
【図３】
2004342245.tif 000005
【図４】
2004342245.tif 000006
【図５】
2004342245.tif 000007
【図６】
2004342245.tif 000008
【図７】
2004342245.tif 000009